(57)【要約】  ディスクライブラリ用メタデータを獲得するためのアプリケーションを備える情報記録媒体及びメタデータの獲得方法及び装置を提供する。該情報記録媒体は、情報記録媒体からデータを読み出して再生する再生装置に保存され、識別子情報、バージョン情報、タイプ情報、ディスク情報及びタイトル情報を含む構造を有するディスクライブラリ用メタデータをサーバから再生装置にダウンロードするように制御するネットワークアプリケーション情報を含む。これにより、ディスクライブラリ用メタデータをネットワークを介してサーバからダウンロード可能である。
2009506397.tif 000002
【特許請求の範囲】
【請求項１】
情報記録媒体からデータを読み出して再生する再生装置に保存され、前記情報記録媒体に保存されたデータに関する情報を表すディスクライブラリ用メタデータを、外部サーバから前記再生装置のローカルストレージにダウンロードするネットワークアプリケーションを備えることを特徴とする情報記録媒体。
【請求項２】
前記ディスクライブラリ用メタデータは、
前記ディスクライブラリ用メタデータを識別するための識別子情報と、
前記ディスクライブラリ用メタデータのバージョンを確認するためのバージョン情報と、
前記メタデータの応用タイプを表すタイプ情報と、
前記情報記録媒体に保存されたコンテンツに関する情報を表すディスク情報と、
前記情報記録媒体に保存された複数のタイトルに関する情報を表すタイトル情報とのうち少なくとも一つ以上を含むことを特徴とする請求項１に記載の情報記録媒体。
【請求項３】
前記ディスクライブラリ用メタデータは、
サムネールイメージを提供するためのサムネール情報を含むことを特徴とする請求項１に記載の情報記録媒体。
【請求項４】
前記タイプ情報は、
再生履歴のある情報記録媒体についてのディスクライブラリ用メタデータを表すヒストリー用タイプと、
前記サーバからダウンロードされる新しく発売された情報記録媒体についてのディスクライブラリ用メタデータを表すニューリリース用タイプとのうち少なくとも一つを含むことを特徴とする請求項２に記載の情報記録媒体。
【請求項５】
前記外部サーバからディスクライブラリ用メタデータを前記再生装置のローカルストレージにダウンロードするために、前記ローカルストレージを管理するストレージ管理アプリケーション情報を含み、
前記ストレージ管理アプリケーションは、前記ディスクライブラリ用メタデータのダウンロードに必要な情報を前記ローカルストレージから抽出するストレージ管理ＡＰＩ関数を含むことを特徴とする請求項１に記載の情報記録媒体。
【請求項６】
前記ストレージ管理ＡＰＩ関数は、前記再生装置のローカルストレージの記録可能な空間を前記ストレージ管理アプリケーションに返還することを特徴とする請求項５に記載の情報記録媒体。
【請求項７】
前記ストレージ管理ＡＰＩ関数は、識別子情報、バージョン情報、前記ディスクライブラリ用メタデータのダウンロードに必要なタイプ情報を返還することを特徴とする請求項５に記載の情報記録媒体。
【請求項８】
前記ストレージ管理ＡＰＩ関数は、前記ローカルストレージに保存されていないメタデータを前記ローカルストレージに付加し、前記ローカルストレージに保存されたメタデータをアップデートすることを特徴とする請求項５に記載の情報記録媒体。
【請求項９】
前記ネットワークアプリケーションは、
前記ディスクライブラリ用メタデータのダウンロードに必要な情報を前記外部サーバに伝送し、前記ディスクライブラリ用メタデータの要請を前記外部サーバに伝送し、前記ディスクライブラリ用メタデータのダウンロードに必要な情報に基づき、ダウンロードするメタデータのリストを前記外部サーバから抽出するネットワークＡＰＩ関数を含むことを特徴とする請求項５に記載の情報記録媒体。
【請求項１０】
前記ネットワークアプリケーションは、
前記ローカルストレージから前記ディスクライブラリ用メタデータのダウンロードに必要な情報抽出するストレージ管理ＡＰＩ関数と、
前記ディスクライブラリ用メタデータのダウンロードに必要な情報を前記外部サーバに伝送し、前記ディスクライブラリ用メタデータの要請を前記外部サーバに伝送し、前記ディスクライブラリ用メタデータのダウンロードに必要な情報に基づき、前記情報記録媒体から読み出し、前記ローカルストレージに保存されたメタデータではないメタデータのリストを前記外部サーバから抽出するネットワークＡＰＩ関数とを含むことを特徴とする請求項１に記載の情報記録媒体。
【請求項１１】
前記ストレージ管理ＡＰＩ関数は、前記再生装置のローカルストレージの記録可能な空間を前記ネットワークアプリケーションに返還することを特徴とする請求項１０に記載の情報記録媒体。
【請求項１２】
前記ストレージ管理ＡＰＩ関数は、識別子情報、バージョン情報、前記ディスクライブラリ用メタデータのダウンロードに必要なタイプ情報を返還することを特徴とする請求項１０に記載の情報記録媒体。
【請求項１３】
前記ストレージ管理ＡＰＩ関数は、前記ローカルストレージに保存されていないメタデータを前記ローカルストレージに付加し、前記ローカルストレージに保存されたメタデータをアップデートすることを特徴とする請求項１０に記載の情報記録媒体。
【請求項１４】
前記再生装置のローカルストレージに保存されたディスクライブラリ用メタデータを読み出して再生するための再生アプリケーションと、
前記ディスクライブラリ用メタデータをユーザインターフェースに提供するために必要な付加情報とをさらに含むことを特徴とする請求項１に記載の情報記録媒体。
【請求項１５】
前記再生アプリケーションは、
前記再生装置がディスクライブラリを支援するか否かを確認するプログラムデータを含むことを特徴とする請求項１４に記載の情報記録媒体。
【請求項１６】
情報記録媒体に保存されたデータに関する情報であるディスクライブラリ用メタデータを獲得する方法において、
情報記録媒体からデータを読み出して再生する再生装置に保存され、前記情報記録媒体に保存されたデータに関する情報を表すディスクライブラリ用メタデータを外部サーバからダウンロードするために必要な情報を再生装置のローカルストレージから抽出する段階と、
ディスクライブラリ用メタデータのダウンロード要請と共に前記メタデータをダウンロードするために必要な情報を前記外部サーバに伝送する段階と、
前記メタデータをダウンロードするために必要な情報に基づき、前記外部サーバからメタデータを前記ローカルストレージにダウンロードする段階とを含むことを特徴とするメタデータを獲得する方法。
【請求項１７】
前記メタデータをダウンロードするために必要な情報を抽出する段階は、
前記ディスクライブラリ用メタデータが保存される前記ローカルストレージの記録可能な空間情報を要請する段階と、
前記要請された記録可能な空間情報を確認する段階とを含むことを特徴とする請求項１６に記載のメタデータを獲得する方法。
【請求項１８】
前記メタデータをダウンロードするために必要な情報を抽出する段階は、
前記ディスクライブラリ用メタデータの識別子情報、タイプ情報及びバージョン情報を抽出する段階を含むことを特徴とする請求項１７に記載のメタデータを獲得する方法。
【請求項１９】
前記ダウンロードする段階は、
前記ダウンロードに必要な情報に基づき、前記外部サーバを検索してダウンロード可能なメタデータのうち前記情報記録媒体から読み出し、前記ローカルストレージに保存されたメタデータ以外のメタデータリストを抽出する段階を含むことを特徴とする請求項１８に記載のメタデータを獲得する方法。
【請求項２０】
前記ダウンロードする段階は、
再生履歴のない情報記録媒体についてのディスクライブラリ用メタデータのニューリリース用メタデータを、再生履歴のある情報記録媒体についてのディスクライブラリ用メタデータであるヒストリー用メタデータが保存された空間と別途の保存空間にダウンロードする段階を含む、情報記録媒体に保存されたデータに関する情報を表すことを特徴とする請求項１９に記載のメタデータを獲得する方法。
【請求項２１】
前記ダウンロードされたヒストリー用メタデータが前記保存されたヒストリー用メタデータよりさらに高いバージョン情報を有するならば、前記ダウンロードされたヒストリー用メタデータは、保存されたヒストリー用メタデータに上書きされることを特徴とする請求項２０に記載のメタデータを獲得する方法。
【請求項２２】
前記ダウンロードする段階は、
ニューリリース用メタデータにファイル名を割り当てる段階と、前記ファイル名を有した前記ニューリリース用メタデータをダウンロードする段階とを含み、
前記ニューリリース用メタデータは、再生履歴のない情報記録媒体に関するメタデータであり、
ヒストリー用メタデータは、再生履歴のある情報記録媒体に関するメタデータであり、
前記ヒストリー用メタデータは、他のファイル名を有することを特徴とする請求項１９に記載のメタデータを獲得する方法。
【請求項２３】
前記ダウンロードされたヒストリー用メタデータが前記保存されたヒストリー用メタデータよりさらに高いバージョン情報を有するならば、前記ダウンロードされたヒストリー用メタデータは、保存されたヒストリー用メタデータに上書きされることを特徴とする請求項２２に記載のメタデータを獲得する方法。
【請求項２４】
前記ローカルストレージにダウンロードされたメタデータを、前記情報記録媒体に保存された情報により定義されたユーザインターフェースを介してユーザにディスプレイする段階をさらに含むことを特徴とする請求項１６に記載のメタデータを獲得する方法。
【請求項２５】
情報記録媒体に保存されたデータに関する情報であるディスクライブラリ用メタデータを獲得する再生装置において、
情報記録媒体から読み出されたディスクライブラリ用メタデータ、または外部サーバからダウンロードされたディスクライブラリ用メタデータを保存するローカルストレージと、
前記外部サーバへの接続を制御するディスクライブラリマネージャと、
前記サーバから前記ディスクライブラリ用メタデータをダウンロードするネットワーク部とを備えることを特徴とする再生装置。
【請求項２６】
前記ディスクライブラリマネージャは、
前記ローカルストレージのダウンロード可能な、記録可能な空間情報を確認し、
前記ディスクライブラリ用メタデータの識別子情報、タイプ情報、及びバージョン情報を前記ローカルストレージから抽出することを特徴とする請求項２５に記載の再生装置。
【請求項２７】
前記ディスクライブラリマネージャは、
情報記録媒体から読み出し、前記ローカルストレージに保存されたメタデータ以外のメタデータリストを抽出し、
前記メタデータリストは、前記空間情報及び前記メタデータの識別子情報、タイプ情報及びバージョン情報に基づき、前記外部サーバにより見つけられることを特徴とする請求項２６に記載の再生装置。
【請求項２８】
前記ディスクライブラリマネージャは、前記ディスクライブラリ用メタデータをダウンロードするために、前記情報記録媒体に保存されたアプリケーションを実行し、前記アプリケーションは、
前記外部サーバからダウンロードするのに必要な情報を前記ローカルストレージから抽出するストレージ管理ＡＰＩ関数と、
前記外部サーバからダウンロードするのに必要な情報を前記外部サーバに伝送し、前記ディスクライブラリに対するメタデータ要請を前記外部サーバに伝送し、前記情報記録媒体から読み出し、前記ローカルストレージに保存されたメタデータ以外のメタデータリストを前記外部サーバからダウンロードするのに必要な情報に基づき、前記外部サーバから抽出するネットワークＡＰＩ関数とを含むことを特徴とする請求項２５に記載の再生装置。
【請求項２９】
前記ストレージ管理ＡＰＩ関数は、前記再生装置のローカルストレージの記録可能な空間を前記ストレージ管理アプリケーションに返還することを特徴とする請求項２８に記載の再生装置。
【請求項３０】
前記ストレージ管理ＡＰＩ関数は、識別子情報、バージョン情報、前記ディスクライブラリ用メタデータのダウンロードに必要なタイプ情報を返還することを特徴とする請求項２８に記載の再生装置。
【請求項３１】
前記ストレージ管理ＡＰＩ関数は、前記ローカルストレージに保存されていないメタデータを前記ローカルストレージに付加し、前記ローカルストレージに保存されたメタデータをアップデートすることを特徴とする請求項２８に記載の再生装置。
【請求項３２】
前記ディスクライブラリマネージャは、
前記ディスクライブラリ用メタデータを前記ローカルストレージの領域に保存することを特徴とする請求項２５に記載の再生装置。
【請求項３３】
前記ディスクライブラリマネージャは、
再生履歴のない情報記録媒体についてのディスクライブラリ用メタデータであるニューリリース用タイプのメタデータを、再生履歴のある情報記録媒体のディスクライブラリ用メタデータのヒストリー用タイプのメタデータとは別途の保存空間に保存することを特徴とする請求項３２に記載の再生装置。
【請求項３４】
前記ダウンロードされたヒストリー用メタデータが前記保存されたヒストリー用メタデータよりさらに高いバージョン情報を有するならば、前記ダウンロードされたヒストリー用メタデータは、保存されたヒストリー用メタデータに上書きされることを特徴とする請求項３３に記載の再生装置。
【請求項３５】
前記ディスクライブラリマネージャは、
再生履歴のない情報記録媒体についてのディスクライブラリ用メタデータであるニューリリース用タイプのメタデータを、再生履歴のある情報記録媒体のディスクライブラリ用メタデータのヒストリー用タイプのメタデータとは異なるファイル名を付与して保存することを特徴とする請求項３２に記載の再生装置。
【請求項３６】
前記ダウンロードされたヒストリー用メタデータが前記保存されたヒストリー用メタデータよりさらに高いバージョン情報を有するならば、前記ダウンロードされたヒストリー用メタデータは、保存されたヒストリー用メタデータに上書きされることを特徴とする請求項３５に記載の再生装置。
【請求項３７】
前記ディスクライブラリマネージャは、
前記再生装置が再生する情報記録媒体からディスクライブラリ用メタデータを読み出し、前記ローカルストレージに保存し、前記ローカルストレージから前記ディスクライブラリ用メタデータを読み出してユーザインターフェースを生成することを特徴とする請求項２５に記載の再生装置。
【請求項３８】
前記ディスクライブラリマネージャは、
前記ローカルストレージにダウンロードされたメタデータを、前記情報記録媒体に保存された情報により定義されたユーザインターフェースを介してユーザにディスプレイする段階をさらに含むことを特徴とする請求項２５に記載の再生装置。
【請求項３９】
前記情報記録媒体に保存された動映像ストリームをデコードするプレゼンテーションエンジンをさらに備えることを特徴とする請求項２５に記載の再生装置。
【請求項４０】
前記プレゼンテーションエンジンからデコードされたデータを受信し、デコードされたデータをミキシングし、データミックスチャを出力し、前記ディスクライブラリマネージャから受信されたディスクライブラリ用メタデータを出力するオーディオビジュアル（ＡＶ）レンダラをさらに備えることを特徴とする請求項３９に記載の再生装置。
【請求項４１】
データの送受信を制御し、前記情報記録媒体に保存されたメタデータを読み出す読み出し部をさらに備えることを特徴とする請求項２５に記載の再生装置。
【請求項４２】
前記読み出し部は、前記再生装置が再生し、前記ローカルストレージのディスクライブラリ用メタデータを保存する前記情報記録媒体から、前記ディスクライブラリ用メタデータを読み出すことを特徴とする請求項４１に記載の再生装置。
【請求項４３】
情報記録媒体に保存されたデータについての情報であるディスクライブラリ用メタデータを得る再生装置において、
情報記録媒体から読み出されたディスクライブラリ用メタデータ、または外部サーバからダウンロードされたディスクライブラリ用メタデータを保存するローカルストレージと、
前記外部サーバとの接続を制御するディスクライブラリマネージャと、
前記サーバから前記ディスクライブラリ用メタデータをダウンロードするネットワーク部と、
前記情報記録媒体に保存された動映像ストリームをデコードするプレゼンテーションエンジンと、
前記プレゼンテーションエンジンからデコードされたデータを入力されてミキシングして出力し、前記ディスクライブラリマネージャが提供するディスクライブラリ用メタデータを出力するＡＶレンダラとを備えることを特徴とする再生装置。
【請求項４４】
前記ディスクライブラリマネージャは、メタデータがダウンロードされうる前記ローカルストレージの記録可能な空間についての空間情報を得て、前記ローカルストレージから前記ディスクライブラリ用メタデータの識別子情報、タイプ情報、バージョン情報を抽出することを特徴とする請求項４３に記載の再生装置。
【請求項４５】
前記ディスクライブラリマネージャは、前記情報記録媒体から読み出し、前記ローカルストレージに保存されたメタデータではないメタデータのリストを抽出し、前記メタデータのリストは、前記空間情報及び前記メタデータの識別子情報、タイプ情報及びバージョン情報に基づき、前記外部サーバにより見つけられることを特徴とする請求項４４に記載の再生装置。
【発明の詳細な説明】
【技術分野】
【０００１】
本発明は、メタデータを獲得するためのアプリケーションを備える記録媒体及びメタデータの獲得方法及び装置に係り、さらに詳細には、外部のサーバからディスクライブラリ用メタデータを獲得するためのアプリケーションを備える情報記録媒体及びメタデータの獲得方法及び装置に関する。
【背景技術】
【０００２】
ＤＶＤのような記録媒体には、ＭＰＥＧ（Motion  Picture  Experts  Group）などの標準によって圧縮符号化されたビデオ及びオーディオ、またはサブタイトルを含むＡＶデータ（Audio-Visual  Dataまたは動映像データストリーム）が記録されている。また、動映像データストリームの符号化属性または動映像の再生順序のような付加情報がさらに記録されている。
【０００３】
しかし、従来の情報記録媒体については、再生装置に情報記録媒体の物理的情報及び動映像と係る情報（例えば、情報記録媒体のタイプ、タイトルの名称、映画俳優、映画ジャンル、制作者など）を別途に再生装置に保存しおいて検索して利用できなかった。また、かような情報を最新情報にアップデートしたり、または新しく発売されたディスクについての情報を利用できないという問題点がある。
【発明の開示】
【発明が解決しようとする課題】
【０００４】
本発明がなそうとする技術的課題は、サーバからディスクライブラリ用メタデータをダウンロードして獲得できるアプリケーションを備える情報記録媒体を提供することを目的とする。
【０００５】
本発明がなそうとする他の技術的課題は、情報記録媒体のアプリケーションを利用して再生装置が外部のサーバからディスクライブラリ用メタデータをダウンロードして情報記録媒体のローカルストレージに保存し、保存されたメタデータを提供する装置及び方法を提供することを目的とする。
【課題を解決するための手段】
【０００６】
本発明は、前述の技術的課題を達成するために、本発明の一特徴による情報記録媒体は、情報記録媒体からデータを読み出して再生する再生装置に保存され、情報記録媒体に保存されたデータについての情報を表すディスクライブラリ用メタデータをサーバから再生装置にダウンロードするように制御するネットワークアプリケーション情報を含み、ディスクライブラリ用メタデータは、ディスクライブラリ用メタデータを識別するための識別子情報と、ディスクライブラリ用メタデータのバージョンを確認するためのバージョン情報と、メタデータの応用タイプを示すタイプ情報と、情報記録媒体に保存されたコンテンツについての情報を表すディスク情報と、情報記録媒体に保存された複数のタイトルについての情報を表すタイトル情報とのうち少なくとも一つ以上を含む。
【０００７】
ディスクライブラリ用メタデータは、サムネールイメージを提供するためのサムネール情報を含むことが望ましい。
【０００８】
タイプ情報は、再生履歴のある情報記録媒体についてのディスクライブラリ用メタデータを表すヒストリー用タイプと、サーバからダウンロードされる新しく発売された情報記録媒体についてのディスクライブラリ用メタデータを表すニューリリース用タイプとのうち少なくとも一つを含むことが望ましい。
【０００９】
また、情報記録媒体は、サーバからディスクライブラリ用メタデータを再生装置のローカルストレージにダウンロードするためにローカルストレージを管理するストレージ管理アプリケーション情報を含み、ストレージ管理アプリケーション情報は、ディスクライブラリ用メタデータのダウンロードに必要な情報をローカルストレージから抽出するストレージ管理ＡＰＩ関数を含むことが望ましい。
【００１０】
ネットワークアプリケーション情報は、ディスクライブラリ用メタデータのダウンロードに必要な情報を、ディスクライブラリ用メタデータ要請情報と共にサーバに伝送し、ディスクライブラリ用メタデータのダウンロードに必要な情報に基づき、ダウンロードするメタデータをサーバから抽出するように制御するネットワークＡＰＩ関数を含むことが望ましい。
【００１１】
また、情報記録媒体は、再生装置のローカルストレージに保存されたディスクライブラリ用メタデータを読み出して再生するための再生アプリケーション情報と、ディスクライブラリ用メタデータをユーザインターフェースに提供するために必要な付加情報とをさらに含むことが望ましい。再生アプリケーション情報は、再生装置がディスクライブラリを支援しているか否かを確認するプログラムデータを含むことが望ましい。
【００１２】
本発明の他の特徴によるメタデータを獲得する方法は、情報記録媒体からデータを読み出して再生する再生装置に保存されて情報記録媒体に保存されたデータについての情報を表すディスクライブラリ用メタデータをサーバからダウンロードするために必要な情報を再生装置のローカルストレージから抽出する段階と、ディスクライブラリ用メタデータのダウンロード要請と共にメタデータをダウンロードするために必要な情報をサーバに伝送する段階と、メタデータをダウンロードするために必要な情報に基づいてサーバからメタデータをダウンロードする段階とを含む。
【００１３】
本発明の他の特徴によるメタデータを獲得するための装置は、情報記録媒体から読み出されたディスクライブラリ用メタデータ、またはサーバからダウンロードされたディスクライブラリ用メタデータを保存するローカルストレージと、サーバからディスクライブラリ用メタデータをダウンロードするために必要な情報をローカルストレージから抽出し、必要な情報に基づいてサーバからディスクライブラリ用メタデータをダウンロードするようにサーバとの接続を制御するディスクライブラリマネージャと、サーバからディスクライブラリ用メタデータをダウンロードするネットワーク部とを備える。
【００１４】
本発明の他の特徴による再生装置は、情報記録媒体から読み出されたディスクライブラリ用メタデータ、またはサーバからダウンロードされたディスクライブラリ用メタデータを保存するローカルストレージと、サーバからディスクライブラリ用メタデータをダウンロードするために必要な情報をローカルストレージから抽出し、必要な情報に基づいてサーバからディスクライブラリ用メタデータをダウンロードするように、サーバとの接続を制御するディスクライブラリマネージャと、サーバからディスクライブラリ用メタデータをダウンロードするネットワーク部と、情報記録媒体に保存された動映像ストリームをデコードするプレゼンテーションエンジンと、プレゼンテーションエンジンからデコードされたデータを入力されてミキシングして出力し、ディスクライブラリマネージャが提供するディスクライブラリ用メタデータを出力するＡＶレンダラとを備える。
【発明の効果】
【００１５】
本発明によれば、情報記録媒体から提供されるディスクライブラリ用メタデータをネットワークを介してサーバからダウンロード可能にし、既存に保存されたディスクライブラリ用メタデータを最新情報にアップデートしたり、または新しく発売された情報記録媒体についてのディスクライブラリ用メタデータを追加できるネットワークアプリケーションを備える情報記録媒体を提供できる。
【００１６】
また、本発明によれば、再生履歴のあるディスクについてのディスクライブラリ用メタデータと、新しく発売された情報記録媒体についてのディスクライブラリ用メタデータとを区別し、ユーザに提供できるメタデータを獲得する装置及び方法を提供できる。
【００１７】
また、本発明によれば、情報記録媒体から抽出されたディスクライブラリ用メタデータを、情報記録媒体に保存された再生アプリケーションを利用してユーザに提供できる。
【発明を実施するための最良の形態】
【００１８】
以下、本発明の望ましい実施形態について、添付した図面を参照しつつ詳細に説明する。
【００１９】
本明細書で定義するメタデータは、ディスクライブラリ用メタデータであって、ディスクライブラリは、情報記録媒体（一例として、光ディスク）の媒体情報、リリース情報、有効な地域情報、支援するオーディオ／字幕情報及び情報記録媒体が含んでいる再生単位（一例として、タイトル）についての追加情報を保存したデータ（またはファイル）として再生装置のローカルストレージに保存される情報をいう。
【００２０】
図１は、本発明の一実施形態による情報記録媒体１１０からディスクライブラリ１４０を保存するシステムを概略的に表す図である。図１で、情報記録媒体１１０のディスクライブラリ用メタデータ１２０は、ディスク識別情報、タイトル情報、バージョン情報及びリンクされたサムネール情報を含む。ディスク識別情報は、例えばディスクのフォーマット、ディスクの名称、ディスクに有しているタイトルの個数、リリース情報、有効な地域情報のようなディスク全体にわたる情報である。タイトル情報は、タイトル題目、俳優、ジャンル、制作者、ＰＧ（Parental  Guide）情報を含むことができる。バージョン情報は、今後のアップデートのためにバージョンを確認することができる情報であり、サムネール情報は、タイトル情報と関連したイメージである。
【００２１】
再生装置１３０は、ディスクライブラリ用メタデータ１２０を含んだ情報記録媒体１１０が挿入されれば、メタデータ１２０を保存するために、ローカルストレージにメタデータ１２０を保存する空間を確認し、情報記録媒体１１０の固有識別子で区別される保存領域を確保する。メタデータ１２０は、情報記録媒体１１０の固有識別子で区別される再生装置１３０のローカルストレージのような別途の保存領域に保存される。
【００２２】
これにより、情報記録媒体１１０が再生装置１３０から除去された場合でも、ローカルストレージにディスク単位で保存されたメタデータ、すなわちディスクライブラリ１４０を利用して特定ディスクや特定タイトルを検索できる。このとき、ディスクライブラリ１４０をユーザインターフェースに提供するアプリケーションは、再生装置内のレジデントアプリケーションである。
【００２３】
しかし、情報記録媒体１１０がディスクライブラリ用メタデータを提供するための再生アプリケーション情報及び付加情報として、メタデータを提供するためのユーザインターフェース形態を構成するために必要な情報のスタイル情報を含む場合には、ディスクライブラリは、情報記録媒体に保存されたアプリケーションによって、ディスクライブラリがユーザに提供されうる。このために、情報記録媒体に保存された再生アプリケーションには、再生装置がディスクライブラリを提供する否かを確認するためのＡＰＩ（アプリケーション  プログラミング  インターフェース）関数と、再生装置のディスクライブラリ１４０に保存されたディスクライブラリ用メタデータを読み出すためのＡＰＩ関数とが定義されて実行されうる。
【００２４】
図１には、情報記録媒体１１０から再生初期化段階で保存されるヒストリー用タイプのディスクライブラリ用メタデータが保存される過程が図示されている。しかし、後述する通り、再生装置１３０は、外部のサーバ（図示せず）からディスクライブラリ用メタデータをローカルストレージにダウンロードさせ、再生装置１３０がサーバからダウンロード可能なメタデータのうち、ディスク１１０から読み出してディスクライブラリ１４０に保存されるヒストリー用タイプのメタデータをアップグレードするために、または新しく発売された情報記録媒体についてのニューリリース用タイプのメタデータを追加するために、メタデータをダウンロードされることが可能である。
【００２５】
このために、本発明によるディスクライブラリ用メタデータは、メタデータの応用例を区別するためのタイプ情報をさらに含む。本発明によるディスクライブラリ用メタデータの構造については、図５を参照しつつさらに詳細に説明する。
【００２６】
図２は、本発明の一実施形態によるディスクライブラリ１４０を提供する画面２１０を表す図である。図２は、再生装置のレジデントアプリケーション、または情報記録媒体のディスクライブラリを提供するためのアプリケーションによりディスクライブラリを提供する画面であり、ディスクリプタ（Descriptors）、サブディスクリプタ（Sub  Descriptors）、検索結果（Search  Results）及び検索結果とリンクされたサムネール（THUMBNAIL）イメージを提供できる。
【００２７】
図２で、ディスクリプタで提供される情報は、俳優の氏名、ジャンル、制作者、ＰＧ情報などである。ユーザがディスクリプタ情報のうち男性俳優（Actor）に対する入力を行えば、再生装置は、サブディスクリプタで男性俳優の氏名についてのリストを提供する。ユーザがこのうちＡｃｔｏｒ＃１についての入力を行えば、再生装置は、Ａｃｔｏｒ＃１の氏名をゆういた名称を有した俳優が出演した映画が保存されたディスク情報及びリンクされたサムネールイメージが検索結果として提供される。
【００２８】
図３は、本発明の一実施形態によって、サーバからメタデータを獲得するための再生装置１３０の構成を表すブロック図である。
【００２９】
本発明の一実施形態による再生装置１３０は、ローカルストレージ３２０、読み出し部３２５、ディスクライブラリマネージャ３３０、ネットワーク部３４０、プレゼンテーションエンジン３５０及びＡＶレンダラ３６０を備える。
【００３０】
ローカルストレージ３２０には、情報記録媒体３１０から判読されたディスクライブラリ用メタデータが保存される。また、ローカルストレージ３２０には、本発明の一実施形態によって、外部のサーバからダウンロードされうるメタデータが保存される。
【００３１】
読み出し部３２５は、情報記録媒体３１０及びローカルストレージ３２０のデータを読み出し、再生装置１３０の構成要素間のデータ送受信を制御する。読み出し部３２５は、別途の機能部から構成されずに、それぞれの構成要素が読み出し部３２５の機能を行うように構成されることもある。
【００３２】
ディスクライブラリマネージャ３３０は、読み出し部３２５を介して情報記録媒体３１０からディスクライブラリ用メタデータを読み出し、ローカルストレージ３２０に保存する。そして、ディスクライブラリマネージャ３３０は、ディスクライブラリを要求するユーザの入力を解釈処理し、ローカルストレージ３２０からディスクライブラリ情報を読み出してユーザインターフェースを生成し、ＡＶレンダラ３６０に伝達する。また、ディスクライブラリマネージャ３３０は、情報記録媒体３１０に保存された動映像情報以外の付加データ（例えば、マークアップ文書、プログラムデータ、スタイル情報など）を解釈して処理することもできる。
【００３３】
また、ディスクライブラリマネージャ３３０は、情報記録媒体に保存されたディスクライブラリアプリケーションがＡＰＩを介してディスクライブラリマネージャ３３０とインターフェースし、ローカルストレージ３２０に保存されたディスクライブラリ用メタデータを、読み出し部３２５を介して読み出すことができる。その場合、読み出されたディスクライブラリ用メタデータは、情報記録媒体に保存された再生アプリケーション情報及びスタイル情報を利用し、ユーザインターフェースに提供できる。
【００３４】
また、本発明の一実施形態によるディスクライブラリマネージャ３３０は、ディスクライブラリ用メタデータをダウンロードするために必要な情報を抽出する。さらに詳細には、ディスクライブラリマネージャ３４０は、ディスクライブラリ用メタデータのダウンロードに必要な識別子情報、タイプ情報、及びバージョン情報をローカルストレージ３２０から抽出する。また、ディスクライブラリマネージャ３３０は、ディスクライブラリ用メタデータをダウンロードするために必要なディスクライブラリ用メタデータを保存するローカルストレージ３２０のダウンロード可能な余裕空間情報を確認する。
【００３５】
このために、本発明によるディスクライブラリマネージャ３３０により解釈される、ディスクライブラリ用メタデータをダウンロードするためのアプリケーションには、ストレージ管理ＡＰＩが定義され、ディスクライブラリマネージャ３３０のローカルストレージを管理する。ストレージ管理ＡＰＩは、例えば次の通り定義可能である。
【００３６】
（１）request_Space()：ディスクライブラリマネージャは、情報記録媒体のディスクライブラリアプリケーションにより要求されたＡＰＩにより、記録可能な空間を返還する。
【００３７】
（２）get_inform_DiscLibs()：ネットワークアプリケーションは、ディスクライブラリマネージャを介し、ローカルストレージに保存されたディスクライブラリ用メタデータの固有識別子、バージョン情報及びタイプ情報を抽出する。
【００３８】
（３）update_Library（lists  of  Disc  Library  metadata）：サーバから提供されたダウンロードされうるメタデータのリストを介してローカルストレージ内に情報記録媒体から読み出し、ローカルストレージに保存されたことがないディスクライブラリ用メタデータの追加及びアップデートを要請する。
【００３９】
図３を参照するに、ネットワーク部３４０は、ディスクライブラリ用メタデータのダウンロード要請と共に、ディスクライブラリマネージャ３３０により抽出された識別子情報、バージョン情報、タイプ情報及びローカルストレージのダウンロード可能な空間情報をサーバに伝送する。
【００４０】
また、ディスクライブラリマネージャ３３０は、ネットワーク部３４０と外部のサーバとの接続を制御し、抽出された情報を基にサーバを検索し、ダウンロードされうるメタデータのうち情報記録媒体から読み出し、ローカルストレージ３２０に保存されたメタデータ以外のメタデータリストを抽出し、空間情報に基づいて抽出されたメタデータリストのうち、ダウンロードするメタデータを抽出する。その後、ディスクライブラリマネージャ３３０は抽出されたメタデータをダウンロードし、追加及びアップデート要請をする。
【００４１】
外部のサーバからダウンロードされうるメタデータは、再生履歴のある情報記録媒体についてのヒストリー用タイプのディスクライブラリ用メタデータの現在バージョンに比べ、アップデート情報をさらに含むメタデータ及び／または再生履歴なしにも、新しく発売された情報記録媒体、すなわちニューリリース用タイプのディスクライブラリ用メタデータを含む。ディスクライブラリ用メタデータには、ディスクライブラリ用メタデータの応用例を区別するためのタイプ情報が含まれ、ヒストリー用タイプのディスクライブラリ及びニューリリース用タイプのディスクライブラリを区別できる。
【００４２】
ディスクライブラリマネージャ３３０は、ユーザがディスクライブラリを駆動するとき、ディスクライブラリのタイプを区別するために、ニューリリース用ディスクライブラリ用メタデータをヒストリー用タイプのディスクライブラリが保存される空間とは別途の保存空間に保存するように制御できる。このとき、サーバからダウンロードされるヒストリー用タイプのディスクライブラリ用メタデータよりバージョンが高いメタデータは、情報記録媒体から読み出して保存されたヒストリー用タイプのディスクライブラリ用メタデータが保存される領域に上書きされて保存されうる。他の方法として、ディスクライブラリマネージャ３３０は、サーバからダウンロードされるメタデータにヒストリー用メタデータと区別されるファイル名、例えば拡張子名を付与し、ダウンロードされるように制御できる。
【００４３】
このように、ヒストリー用タイプのディスクライブラリ用メタデータと、ニューリリース用ディスクライブラリ用メタデータとを区別して保存することによって、効率的なユーザインターフェースを提供できる。例えば、ヒストリー用メタデータだけを検索しようとするとき、ディスクライブラリマネージャ３３０がローカルストレージに保存されたあらゆるディスクライブラリ用メタデータを検索する必要がなくなる。
【００４４】
プレゼンテーションエンジン３５０は、情報記録媒体３１０に保存された動映像ストリームをデコードする。ＡＶレンダラ３６０は、プレゼンテーションエンジン３５０からデコードされたデータを入力されてミキシングして出力し、ディスクライブラリマネージャ３３０が提供するディスクライブラリ用メタデータを出力する。
【００４５】
図４は、本発明の一実施形態によるメタデータをダウンロードするためのシステムを機能的に示す図である。
【００４６】
本発明の一実施形態によるメタデータのダウンロードシステムは、外部のサーバ４１０、サーバ４１０からメタデータをダウンロードするための情報記録媒体のアプリケーション４３０及び再生装置内に保存されているディスクライブラリ４５０を備える。図３及び図４を参照し、ディスクライブラリをダウンロードするためのネットワークアプリケーションが実行され、再生装置に記録されたディスクライブラリ用メタデータがアップデートされたり、または追加されてユーザにディスクライブラリ用メタデータを提供する方法について説明する。
【００４７】
アプリケーション４３０は、前述のストレージ管理ＡＰＩ関数を含み、再生装置に保存されているディスクライブラリ用メタデータの固有識別子、バージョン情報、タイプ情報、ダウンロード可能な記録空間情報を抽出する。
【００４８】
アプリケーション４３０は、再生装置に保存されているディスクライブラリ用メタデータ１２０の固有識別子、バージョン情報、タイプ情報、ダウンロード可能な記録空間情報をディスクライブラリ用メタデータ要請情報と共に、サーバ４１０に伝送するためのネットワークＡＰＩ関数を含む。またアプリケーション４３０は、メタデータの識別子情報、バージョン情報及びタイプ情報を基にしてダウンロードされうるメタデータのうち、情報記録媒体から読み出して保存されたローカルストレージに保存されたメタデータ以外のメタデータリストをサーバ４１０から抽出する。その後、アプリケーション４３０は、空間情報に基づいて抽出されたメタデータリストのうちダウンロードするメタデータを抽出するように、サーバ４１０を制御するネットワークＡＰＩ関数を含む。ネットワークＡＰＩは、これ以外にも多様な方法でサーバからダウンロードするメタデータを抽出するように実行することができる。
【００４９】
新しいメタデータ１２０の追加及びアップデート過程は、次の通り実行される。ディスクライブラリマネージャ３３０を介して抽出されたディスクライブラリ用メタデータ４５０の固有識別子、タイプ情報、バージョン情報及びダウンロード可能な記録空間情報は、ネットワーク部３４０を介して新しいディスクライブラリ用メタデータ要請情報と共に、サーバ４１０に伝送される。
【００５０】
サーバ４１０は、ネットワーク部３４０からの受信された情報に基づき、すでに再生装置に存在するディスクライブラリ用メタデータ４５０の場合、バージョンを確認してダウンロードされうるメタデータのうち、情報記録媒体から読み出して保存されたローカルストレージに保存されたメタデータ以外のメタデータリストを抽出し、ダウンロード可能な記録空間情報を基に再生装置にダウンロードするメタデータを抽出する。
【００５１】
抽出されたメタデータは、ネットワーク部３４０を介してディスクライブラリマネージャ３３０に伝えられ、ローカルストレージ３２０のダウンロード可能な記録空間にダウンロードされて保存される。
【００５２】
ローカルストレージ３２０のような記録空間の管理は、互いに異なるスタジオによって制作された情報記録媒体により保存されたメタデータの特性を考慮し、情報記録媒体のアプリケーションではない再生装置のディスクライブラリマネージャが行う。従って、情報記録媒体のアプリケーションは、ディスクライブラリマネージャに記録及びダウンロード可能な保存領域についての情報を要請することは可能であるが、特定メタデータを削除できないようにする。再生装置を利用するユーザの意図と関係なしに、情報記録媒体のアプリケーションにより再生装置のメタデータが任意に修正されたり削除されることを防止するためである。
【００５３】
一方、情報記録媒体には、再生装置のディスクライブラリを提供するための再生アプリケーションを備えることができる。再生アプリケーションに含まれたプログラムデータのアクセスＡＰＩ  ４４０は、再生装置のディスクライブラリ４５０を利用してメタデータを抽出する動作を行うようにする。従って、アクセスＡＰＩ  ４４０を介してローカルストレージ３２０に保存された、追加及びアップデートされたメタデータが抽出され、抽出されたアップデートされたメタデータは、情報記録媒体４３０のスタイル情報を利用してユーザにディスクライブラリに提供できる。情報記録媒体の再生アプリケーションを利用してディスクライブラリを提供すれば、メタデータ制作者のディスクライブラリ提供シナリオによるユーザインターフェースを提供できるという長所がある。
【００５４】
図５は、本発明の一実施形態によるディスクライブラリ４５０用メタデータ１２０の構造を示す図である。
【００５５】
ディスクライブラリ用メタデータは、ディスクライブラリ識別子５１０、バージョン情報５２０、タイプ情報５３０、ディスク情報５４０、タイトル情報５５０、サムネール情報５６０を含む。
【００５６】
ディスクライブラリ識別子５１０は、ディスクライブラリ用メタデータを区別するための情報であり、スタジオ識別子、コンテンツ識別子などの複数の識別子からなりうる。スタジオ識別子は、ディスクのコンテンツ制作者であるスタジオを区別するための識別子であり、コンテンツ識別子は、ディスクを識別するための固有識別子であり、ＵＵＩＤなどを示す。
【００５７】
バージョン情報５２０は、ディスクライブラリ用メタデータのバージョン情報であり、同じディスクライブラリ識別子５１０を有する場合に、バージョン情報を付与してディスクライブラリ用メタデータが最新バージョンであるか、あるいは旧バージョンであるかを区別するための情報である。
【００５８】
タイプ情報５３０は、ディスクライブラリ４５０用メタデータの応用例を区別するための情報である。例えば、前述のように、再生装置１３０がディスクライブラリ用メタデータ１２０を有する情報記録媒体３１０を再生するとき、再生初期化段階で再生装置のローカルストレージ３２０に保存されるディスクライブラリ４５０用メタデータ１２０をヒストリー用タイプとして設定する。一方、本発明の一実施形態によって、再生装置が再生したことはないが、サーバからダウンロードされうるメタデータのうち、新しく発売された情報記録媒体についてのディスクライブラリ用メタデータをニューリリース用タイプとして設定する。従って、再生装置は、ユーザの要求によって、タイプ情報５３０を介してユーザが再生して利用したことがある情報記録媒体であるか否かをを確認することができるように、ヒストリー用ディスクライブラリだけからなるユーザインターフェースを提供したり、またはニューリリース用ディスクライブラリだけからなるユーザインターフェースを提供できる。
【００５９】
一方、ヒストリー用タイプのディスクライブラリ用メタデータは、前述のバージョン情報によって区別されうる。従って、ディスクライブラリを提供できる再生装置は、新しいバージョンのヒストリー用タイプのメタデータをサーバからダウンロードされてアップデートできる。タイプ情報は、これ以外にもさまざまなディスクライブラリ用メタデータのタイプを識別するできるように設定されうる。
【００６０】
ディスク情報５４０は、情報記録媒体に保存されたコンテンツに関連した情報、例えば制作者、制作時期、俳優などについての情報である。タイトル情報５５０は、情報記録媒体に複数のタイトルが保存されている場合に、各タイトルについての情報である。サムネール情報５６０は、ディスク情報５４０やタイトル情報５５０に関連したサムネールイメージを提供するための情報である。
【００６１】
図６は、本発明の一実施形態によるディスクライブラリ用メタデータをダウンロードして獲得する方法を示す図である。
【００６２】
情報記録媒体に備えられたアプリケーションにより、ディスクライブラリ用メタデータをサーバからダウンロードするために、再生装置のローカルストレージからメタデータをダウンロードされるために必要な情報を抽出する（Ｓ６１０）。このために、再生装置のディスクライブラリ用メタデータを保存するローカルストレージのダウンロード可能な余裕空間情報を要請し、要請されたダウンロード可能な余裕空間情報を確認する。サーバからメタデータをダウンロードされるために抽出される情報は、識別子情報、タイプ情報、バージョン情報及びローカルストレージのダウンロード可能な空間情報である。
【００６３】
ディスクライブラリ用メタデータのダウンロード要請と共に抽出された情報をサーバに伝送する（Ｓ６２０）。その後、伝送された情報に基づいてサーバからメタデータをダウンロードする（Ｓ６３０）。
【００６４】
本発明はまた、コンピュータで読み取り可能な記録媒体にコンピュータで読み取り可能なコードとして具現できる。コンピュータで読み取り可能な記録媒体は、コンピュータシステムによって読み取り可能なデータが保存されるあらゆる種類の記録装置を含む。コンピュータで読み取り可能な記録媒体の例としては、ＲＯＭ（リード  オンリ  メモリ）、ＲＡＭ（ランダム  アクセス  メモリ）、ＣＤ−ＲＯＭ、磁気テープ、フロッピー（登録商標）ディスク、光ディスクなどがあって、またキャリアウェーブ（例えば、インターネットを介した伝送）の形態で具現されるものを含む。また、コンピュータで読み取り可能な記録媒体は、ネットワークに連結されたコンピュータシステムに分散され、分散方式でコンピュータで読み取り可能なコードでもって保存されて実行されうる。
【００６５】
以上の説明は、本発明の一実施形態にしか過ぎず、本発明が属する技術分野で当業者は、本発明の本質的特性から外れない範囲で変形された形態に具現できるであろう。従って、本発明の範囲は、前述した実施形態に限定されずに、特許請求範囲に記載された内容と同等な範囲内にある多様な実施形態が含まれるように解釈されるのである。
【図面の簡単な説明】
【００６６】
【図１】本発明の一実施形態による、情報記録媒体からディスクライブラリを保存するシステムを概略的に示す図である。
【図２】本発明の一実施形態による、ディスクライブラリを提供する画面を示す図である。
【図３】本発明の一実施形態による、サーバからメタデータを獲得するための再生装置の構成を示すブロック図である。
【図４】本発明の一実施形態による、メタデータをダウンロードするためのシステムを機能的に示す図である。
【図５】本発明の一実施形態による、ディスクライブラリ用メタデータの構造を示す図である。
【図６】本発明の一実施形態による、ディスクライブラリ用メタデータをダウンロードして獲得する方法を示す図である。
【図１】
2009506397.tif 000003
【図２】
2009506397.tif 000004
【図３】
2009506397.tif 000005
【図４】
2009506397.tif 000006
【図５】
2009506397.tif 000007
【図６】
2009506397.tif 000008
【国際調査報告】
2009506397.tif 000009
2009506397.tif 000010